(57)【要約】      （修正有）【課題】トイレの利用者が所持する様々な手荷物や衣類等を効率良く収納することができ、トイレブース内の限られたスペースを有効に活用することができる収納パネルおよびドアパネルを提供する。【解決手段】本考案に係る収納パネルは、トイレブース用の収納パネル１０である。トイレブース内の壁面４ａまたは扉面３ａに沿って取り付けられるパネル本体１１を備え、このパネル本体１１が、その前面側に互いに形態の異なる複数種類の物品収納部２１，２２，２３，２４，２５，２６，２７，２８を備える。また、本考案に係るドアパネルは、トイレブースの出入口を開閉するドアパネルであって、その前面側に互いに形態の異なる複数種類の物品収納部を備える。【選択図】図２Ｂ
0003183534.tif 000002
【実用新案登録請求の範囲】
【請求項１】
トイレブース用の収納パネルであって、
前記トイレブース内の壁面または扉面に沿って取り付けられるパネル本体を備え、このパネル本体が、その前面側に互いに形態の異なる複数種類の物品収納部を備えることを特徴とする収納パネル。
【請求項２】
前記パネル本体は、中空部を有するパネル状の中空成形体と、この中空成形体の中空部内に充填される発泡材とにより構成されることを特徴とする請求項１に記載の収納パネル。
【請求項３】
前記パネル本体の上端部に、前記トイレブースの内側に突出する盗難防止用の庇を有することを特徴とする請求項１または２に記載の収納パネル。
【請求項４】
前記パネル本体の裏面側に補強材が貼設されていることを特徴とする請求項１乃至３の何れか一項に記載の収納パネル。
【請求項５】
前記パネル本体が前記トイレブースの壁面または扉面に着脱自在に取り付けられることを特徴とする請求項１乃至４の何れか一項に記載の収納パネル。
【請求項６】
前記複数種類の物品収納部の中には、フック型の収納部が含まれることを特徴とする請求項１乃至５の何れか一項に記載の収納パネル。
【請求項７】
前記複数種類の物品収納部の中には、ボックス型の収納部が含まれることを特徴とする請求項１乃至６の何れか一項に記載の収納パネル。
【請求項８】
前記複数種類の物品収納部の中には、棚型の収納部が含まれることを特徴とする請求項１乃至７の何れか一項に記載の収納パネル。
【請求項９】
前記棚型の収納部は、荷物載置面を有する棚部材と、この棚部材の荷物載置面が略水平となる展開位置から、前記荷物載置面が前記トイレブースの壁面または扉面とほぼ平行に配置される折畳位置まで、前記棚部材を回動自在に保持する回動保持部材と、前記棚部材を前記展開位置で支持する支持部材とを備えることを特徴とする請求項８に記載の収納パネル。
【請求項１０】
前記棚部材を折り畳み方向に付勢する付勢部材を備えることを特徴とする請求項９に記載の収納パネル。
【請求項１１】
前記複数種類の物品収納部の中には、フック型の収納部と、ボックス型の収納部または棚型の収納部とが含まれ、ボックス型の収納部または棚型の収納部が前記パネル本体の幅方向における中央部に、フック型の収納部がボックス型の収納部または棚型の収納部の側方にそれぞれ配置されていることを特徴とする請求項１に記載の収納パネル。
【請求項１２】
前記複数種類の物品収納部の中には、ボックス型の収納部と、棚型の収納部とが含まれ、ボックス型の収納部が、棚型の収納部の下方に配置されていることを特徴とする請求項１に記載の収納パネル。
【請求項１３】
トイレブースの出入口を開閉するドアパネルであって、その前面側に互いに形態の異なる複数種類の物品収納部を備えることを特徴とするドアパネル。
【考案の詳細な説明】
【技術分野】
【０００１】
本考案は、トイレブースに用いて好適な収納パネルおよびドアパネルに関するものである。
【背景技術】
【０００２】
公共トイレのトイレブース内の壁面や扉面には、一般にフックが設けられている。利用者は、コートなどの衣類やハンドバッグ、あるいは買い物袋などの手荷物があるときは、そのフックに手荷物を掛けることにより、トイレの使用中に荷物が汚れたり、あるいは衣類にシワが入ったりするのを防止することができる。
しかしながら、トイレブース内のフックの数は限られており、通常は一つしか設けられていないため、荷物が多い場合には、荷物を掛けきれないこともあった。また、無理に複数の荷物を一つのフックに掛けると、許容荷重をオーバーして、フックが破損する虞もあった。また、利用者の荷物の中には、フックに引っ掛け難い荷物が含まれる場合もあり、そのような場合、フックだけでは、荷物の置き場所に困ることもあった。
【０００３】
なお、物品を収納するトイレブース内の設備として、例えば、特許文献１のような壁面収納設備も知られている。しかしながら、この種の設備は、トイレットペーパー等のトイレ用品や清掃具などを収納するためのものであるため、公共トイレにおいては、施錠されていることも多く、それら設備を、一般利用者の手荷物等の一時的な収納に用いることはできなかった。
【先行技術文献】
【特許文献】
【０００４】
【特許文献１】特開平７−２５０７１５
【考案の概要】
【考案が解決しようとする課題】
【０００５】
本考案は、かかる事情に鑑みてなされたもので、トイレの利用者が所持する様々な手荷物や衣類等を効率良く収納することができ、トイレブース内の限られたスペースを有効に活用することができる収納パネルおよびドアパネルを提供することを目的とする。
【課題を解決するための手段】
【０００６】
本考案に係るトイレブース用の収納パネルは、前記トイレブース内の壁面または扉面に沿って取り付けられるパネル本体を備え、このパネル本体が、その前面側に互いに形態の異なる複数種類の物品収納部を備えることを特徴とするものである。
【０００７】
前記パネル本体は、中空部を有するパネル状の中空成形体と、この中空成形体の中空部内に充填される発泡材とにより構成することができる。
前記パネル本体の上端部には、前記トイレブースの内側に突出する盗難防止用の庇を設けることができる。
前記パネル本体の裏面側には、補強材を貼設することができる。
前記パネル本体は、前記トイレブースの壁面または扉面に着脱自在に取り付けることができる。
前記複数種類の物品収納部には、例えば、フック型の収納部、ボックス型の収納部および／または棚型の収納部が含まれる。
前記棚型の収納部は、例えば、荷物載置面を有する棚部材と、この棚部材の荷物載置面が略水平となる展開位置から、前記荷物載置面が前記トイレブースの壁面または扉面とほぼ平行に対向配置される折畳位置まで、前記棚部材を回動自在に保持する回動保持部材と、前記棚部材を前記展開位置で支持する支持部材と、前記棚部材を折り畳み方向に付勢する付勢部材とを有する折畳式の棚とすることができる。
【０００８】
本考案に係るドアパネルは、トイレブースの出入口を開閉するドアパネルであって、その前面側に互いに形態の異なる複数種類の物品収納部を備えることを特徴とするものである。
【考案の効果】
【０００９】
本考案によれば、互いに形態の異なる複数種類の物品収納部を備えているため、トイレの利用者が所持する様々な手荷物（例えば、バッグ類、傘、ステッキ、帽子、買い物袋、アクセサリー、財布、携帯電話、サングラスなど）や衣類（例えば、コート、ジャケットなど）を効率良く収納することができる。
また、トイレブース内の壁面または扉面に沿って収納パネルまたはドアパネルを設置するようにしたので、それらパネルの占有スペースを最小限に抑えることができ、トイレブース内の限られたスペースを有効に活用することができる。
【図面の簡単な説明】
【００１０】
【図１】本考案に係る収納パネルの一実施形態を示す斜視図である。
【図２Ａ】図１の収納パネルを設置する前のトイレブースを示す斜視図である。
【図２Ｂ】図１の収納パネルを設置した後のトイレブースを示す斜視図である。
【図３】図１の収納パネルの設置可能位置を示す平面図である。
【図４】図１の収納パネルの別の設置例を示す斜視図である。
【図５】折畳式の棚の一例を示す縦断面図である。
【図６】図１の収納パネルの縦断面図である。
【考案を実施するための形態】
【００１１】
図１は、本考案に係る収納パネル１０の一実施形態を示す概略構成図である。この収納パネル１０は、矩形状のパネル本体１１を備え、このパネル本体１１が、図２Ａおよび図２Ｂに示すように、トイレブース１内の扉面３ａ（扉３を閉じたときに、トイレブース１内を向く扉面）に着脱自在に取り付けられるように構成されている。この実施形態では、扉面３ａのほぼ全体を覆うようにパネル本体１１が形成されて、その隅部が、ビスや木ネジ等の周知の取付手段１５によって扉面３ａに取り付けられている。なお、便器２と扉面３ａ間の距離が僅かで便器２とパネル本体１１との間に一定の空間を確保することが困難である場合や、扉３がスライド式である場合など、パネル本体１１を扉面３ａに取り付けるのが困難である場合には、扉面３ａではなく、仕切壁４の壁面４ａ等に収納パネル１０を設けることも可能である。例えば、図３（ａ）のように、便器２の側方に扉３が配置されるトイレブース１の場合には、扉面３ａにパネル本体１１を取り付けることも可能であるが（図３においては“Ｐ”がパネル本体１１の設置可能位置を示している。）、図４に示すように、便器２正面の壁面４ａ等にパネル本体１１を取り付けることも可能である。また、図３（ｂ）のように、便器２の正面に扉３が配置されるトイレブース１の場合にも、同様に、扉面３ａ、便器２の側方の壁面４ａの何れかにパネル本体１１を取り付けることが可能である。また、図３（ｃ）のように、便器２の正面に扉３が配置されるトイレブース１と、便器２の側方に扉３が配置されるトイレブース１が混在する場合には、パネル本体１１の取付位置を扉面３ａまたは壁面４ａの何れか一方に必ずしも統一する必要は無く、トイレブース１毎に取付位置を適宜に設定することが可能である。また、壁面４ａに収納パネル１０を取り付ける場合には、その取付位置の壁面４ａを刳り抜いて、その部分に収納パネル１０を嵌め込むように取り付けることも可能である。
【００１２】
パネル本体１１は、図６に示すように、中空部１２ａを有するパネル状の中空成形体１２と、この中空成形体１２の中空部１２ａ内に充填される発泡材１３とにより構成されている。中空成形体１２は、例えば、ＦＲＰ、塩化ビニールなどの合成樹脂により形成することができる。発泡材１３としては、例えば、発泡ウレタン、発泡スチロールなどを使用することができる。なお、中空成形体１２のみで必要とされる強度が達成される場合には、発泡材１３の充填を省略することも可能である。中空成形体１２の裏面側には、例えば、合板、パーティクルボードなどからなる補強材１４が貼設されている。
【００１３】
パネル本体１１の前面側には、図１に示すように、互いに形態の異なる複数種類の物品収納部が設けられている。これらの物品収納部は、例えば、棚部材、フック部材、ボックス部材などの収納部構成部材を別途用意して、それらをビスや接着剤等の周知の取付手段によって中空成形体１２に取り付けることにより構成されるものであっても、あるいは図６に示すように、中空成形体１２自体が収納部構成部材に対応する部分を含んでそれら部分とともに一体に成形されるものであってもよい。
【００１４】
本実施形態では、複数種類の物品収納部として、ボックス型の収納部、棚型の収納部およびフック型の収納部を用いている。具体的には、図１に示すように、パネル本体１１の上部の中央に、棚２１（棚型の収納部）を有し、その左右両側に、コートフック２２（フック型の収納部）を有する。また、それらの下方、すなわち、パネル本体１１の中段部に、大小の収納ボックス２３，２４（ボックス型の収納部）を有し、その下方に棚２５を有し、その更に下方に、下端に向けて漸次幅狭となる傾斜ボックス２６（ボックス型の収納部）を有する。そしてさらに、パネル本体１１の下部の左側部に、傘立て２７（フック型の収納部）を有し、右側部に、杖等を掛けるフック２８（フック型の収納部）を有する。ここでは、物品収納部の様々な形態を示すために、数多くの物品収納部を有するパネル本体１１を例示しているが、実際には、トイレブース１の設置場所（例えば、商業施設、公共交通機関、病院など）や利用者層等に応じて、収納され得る物品を想定し、それら物品の収納に適した物品収納部の形態、大きさ、位置を適宜に選択することができる。
【００１５】
なお、上記棚２５には、固定式の棚と、折畳式の棚が含まれる。折畳式の棚は、例えば、図１および図５に示すように、荷物載置面２５ｂを有する矩形状の棚部材２５ａと、この棚部材２５ａの荷物載置面２５ｂが略水平となる展開位置（図１を参照）から、荷物載置面２５ｂが扉面３ａまたは壁面４ａとほぼ平行に対向配置される折畳位置（図５を参照）まで、棚部材２５ａの基端部を回動自在に保持する軸および軸受け２５ｃ（回動保持部材）と、棚部材２５ａを展開位置で支持する支持部材（図示省略）と、棚部材２５ａを折り畳み方向に付勢するバネ材（付勢部材：図示省略）とを備える。この折畳式の棚は、不使用時には、バネ材の付勢により棚部材２５ａが折畳位置で折り畳まれた状態となっている。この状態から、利用者がバネ材の付勢方向と反対方向に棚部材２５ａを引いて展開位置まで回動させると、棚部材２５ａの荷物載置面２５ｂが略水平となって、荷物載置面２５ｂ上に荷物を置くことが可能になる。その後、荷物載置面２５ｂから荷物を取り除くと、バネ材の付勢により棚部材２５ａが閉じる方向に回動して、自動的に元の折畳位置へと戻る。なお、図５に示すように、パネル本体１１に、棚部材２５ａを折畳位置で収容するための窪み２９を形成するようにしてもよい。また、上記バネ材を設ける代わりに、棚部材２５ａを折畳位置で係止する留め具を設けるようにしてもよい。
【００１６】
なお、図１のパネル本体１１には設けられていないが、トイレブース１外からの荷物の釣り上げ盗難を防止するために、パネル本体１１の上端部に、図６に示すように、トイレブース１の内側に突出する庇３０を設けるようにしてもよい。
【００１７】
以上のように、本実施形態に係る収納パネル１０によれば、互いに形態の異なる複数種類の物品収納部２１，２２，２３，２４，２５，２６，２７，２８を備えているため、トイレの利用者が所持する様々な手荷物（例えば、バッグ類、傘、ステッキ、帽子、買い物袋、アクセサリー、財布、携帯電話、サングラスなど）や衣類（例えば、コート、ジャケットなど）を効率良く収納することができる。
また、トイレブース１内の壁面４ａまたは扉面３ａに沿って収納パネル１０を設置するようにしたので、それらパネルの占有スペースを最小限に抑えることができ、トイレブース１内の限られたスペースを有効に活用することができる。
また、本実施形態では、便器２の正面または側方の壁面４ａまたは扉面３ａに沿って収納パネル１０を設置して、各物品収納部に収納した手荷物が利用者の視界の範囲に入るようにしたので、手荷物の置き忘れを極力防止することができる。
【００１８】
なお、本実施形態では、扉３の高さ方向および幅方向のほぼ全体に亘るように収納パネル１０の高さ寸法および幅寸法を設定したが、本考案はこれに限られるものではなく、例えば、高さ寸法が扉３の高さ寸法と同じで、幅寸法が扉３の幅寸法の数分の一（例えば、１／２）となるように収納パネル１０の寸法を設定したり、あるいは幅寸法が扉３の幅寸法と同じで、高さ寸法が扉３の高さ寸法の数分の一（例えば、１／２、１／４）となるように収納パネル１０の寸法を設定することも可能である。
また、本実施形態では、パネル本体１１として矩形状のパネル本体を例示したが、本考案はこれに限られるものではなく、例えば、矩形状以外の多角形や、円形、楕円形、ハート形など、任意の形状のパネル本体を採用することが可能である。また、女性用のトイレブースの場合には女性的なハート形、男性用のトイレブースの場合には矩形状など、トイレブース毎にパネル本体の形状を変えるようにしてもよい。
また、本実施形態では、収納パネル１０をトイレブース１の扉面３ａまたは壁面４ａに取り付けるものとして説明してきたが、本考案はこれに限定されるものではなく、例えば、収納パネル１０に扉としての機能を持たせて（例えば、収納パネル１０にドアノブを設けて、この収納パネル１０をトイレブース１の出入口に対して開閉自在に取り付けることにより）、ドアパネルとして使用することも可能である。
【符号の説明】
【００１９】
１    トイレブース
２    便器
３ａ  扉面
４ａ  壁面
１０  収納パネル
１１  パネル本体
１２  中空成形体
１３  発泡材
１４  補強材
２１，２５  棚（棚型の収納部）
２２  コートフック（フック型の収納部）
２３，２４  収納ボックス（ボックス型の収納部）
２６  傾斜ボックス（ボックス型の収納部）
２７  傘立て（フック型の収納部）
２８  フック（フック型の収納部）
３０  庇
【図１】
0003183534.tif 000003
【図２Ａ】
0003183534.tif 000004
【図２Ｂ】
0003183534.tif 000005
【図３】
0003183534.tif 000006
【図４】
0003183534.tif 000007
【図５】
0003183534.tif 000008
【図６】
0003183534.tif 000009